(57)【要約】【課題】紙文書において検索を実現する技術を提供する。【解決手段】入力されたテキストの検索を所定の印刷物において可能とする携帯端末は、所定の印刷物に表示されている所定の表示に応じて印刷物に対応する電子文書ファイルを取得する電子文書ファイル取得部と、テキストを電子文書ファイル内で検索し、電子文書ファイル内における検索されたテキストの位置を表すテキスト位置情報を取得する位置情報取得部と、所定の印刷物を撮像して所定の印刷物を表す画像データを生成する撮像部と、取得されたテキスト位置情報と生成された画像データとを使用して、印刷物における検索されたテキストの位置の少なくとも一部に対応する位置に所定の画像を表示する表示部とを備える。【選択図】図１
2017068649.tif 000002
【特許請求の範囲】
【請求項１】
入力されたテキストの検索を所定の印刷物において可能とする携帯端末であって、
前記所定の印刷物に表示されている所定の表示に応じて前記印刷物に対応する電子文書ファイルを取得する電子文書ファイル取得部と、
前記テキストを前記電子文書ファイル内で検索し、前記電子文書ファイル内における前記検索されたテキストの位置を表すテキスト位置情報を取得する位置情報取得部と、
前記所定の印刷物を撮像して前記所定の印刷物を表す画像データを生成する撮像部と、
前記取得されたテキスト位置情報と前記生成された画像データとを使用して、前記印刷物における前記検索されたテキストの位置の少なくとも一部に対応する位置に所定の画像を表示する表示部と、
を備える携帯端末。
【請求項２】
請求項１記載の携帯端末であって、
前記表示部は、所定の視野角を有する視野に重ねて前記所定の画像を表示する透過式表示領域を有し、前記撮像された前記所定の印刷物を表す画像データに基づいて、前記視野における前記所定の印刷物の配置と前記透過式表示領域における前記所定の印刷物の配置と合わせる透過式眼鏡型端末である携帯端末。
【請求項３】
請求項１記載の携帯端末であって、
前記表示部は、前記取得されたテキスト位置情報と前記生成された画像データとを使用して、前記画像データを使用して再現された前記所定の印刷物に前記所定の画像を重畳して表示する携帯端末。
【請求項４】
請求項１乃至３のいずれか１項に記載の携帯端末であって、
前記所定の印刷物は、複数のページを有し、
前記表示部は、前記画像データを使用して前記複数のページのいずれであるかを決定し、前記決定されたページを想定して、前記所定の画像を表示する携帯端末。
【請求項５】
請求項４に記載の携帯端末であって、
前記表示部は、前記決定されたページにある前記検索されたテキストに対しては第１の色を有する前記所定の画像を表示し、前記決定されたページ以外のページにある前記検索されたテキストに対しては第１の色と相違する色を有する前記所定の画像を表示する携帯端末。
【請求項６】
請求項５に記載の携帯端末であって、
前記第１の色と相違する色は、第２の色と、前記第２の色と相違する第３の色とを有し、
前記表示部は、前記決定されたページより前側のページにおいては前記第２の色を有する前記所定の画像を表示し、前記決定されたページより後側のページにおいては前記第３の色を有する前記所定の画像を表示する携帯端末。
【請求項７】
請求項６に記載の携帯端末であって、
前記表示部は、前記決定されたページから離れるほど前記所定の画像の濃度を低下させる携帯端末。
【請求項８】
画像形成装置で印刷物を生成するための印刷データを生成する印刷データ生成装置であって、
前記印刷物に対応する電子文書ファイルを生成する電子文書ファイル生成部と、
前記電子文書ファイルを特定するための情報を含むファイル特定画像を生成する画像生成部と、
前記印刷物の予め設定されている位置に前記ファイル特定画像を含める画像データ生成部と、
を備える印刷データ生成装置。
【請求項９】
印刷物検索システムであって、
請求項１乃至７のいずれか１項に記載の携帯端末と、
請求項８記載の印刷データ生成装置と、
を備える印刷物検索システム。
【請求項１０】
入力されたテキストの検索を所定の印刷物において可能とする検索方法であって、
前記所定の印刷物に表示されている所定の表示に応じて前記印刷物に対応する電子文書ファイルを取得する電子文書ファイル取得工程と、
前記テキストを前記電子文書ファイル内で検索し、前記電子文書ファイル内における前記検索されたテキストの位置を表すテキスト位置情報を取得する位置情報取得工程と、
前記所定の印刷物を撮像して前記所定の印刷物を表す画像データを生成する撮像工程と、
前記取得されたテキスト位置情報と前記生成された画像データとを使用して、前記印刷物における前記検索されたテキストの位置の少なくとも一部に対応する位置に所定の画像を表示する表示工程と、
を備える検索方法。
【請求項１１】
入力されたテキストの検索を所定の印刷物において可能とする携帯端末を制御する制御プログラムであって、
前記制御プログラムは、
前記所定の印刷物に表示されている所定の表示に応じて前記印刷物に対応する電子文書ファイルを取得する電子文書ファイル取得部、
前記テキストを前記電子文書ファイル内で検索し、前記電子文書ファイル内における前記検索されたテキストの位置を表すテキスト位置情報を取得する位置情報取得部、
前記所定の印刷物を撮像して前記所定の印刷物を表す画像データを生成する撮像部、及び
前記取得されたテキスト位置情報と前記生成された画像データとを使用して、前記印刷物における前記検索されたテキストの位置の少なくとも一部に対応する位置に所定の画像を表示する表示部として前記携帯端末を機能させる制御プログラム。
【発明の詳細な説明】
【技術分野】
【０００１】
本発明は、印刷物において模擬的な検索を可能とする携帯端末、検索方法、印刷データ生成装置及び制御プログラムに関する。
【背景技術】
【０００２】
電子文書は、ネットワークを介しての文書へのアクセスを可能とするので、業務全体のスピードや効率を向上させることができる。さらに、倉庫などの保管スペースを不要とするという効果も考慮され、近年、社内文書の電子化が進められている。一方、紙文書は、手書きでの書き込みの容易さや校正作業の円滑化、目への優しさ、ディスプレイでの作業における参照文書としてのアクセス性の良さと行った観点から依然として使用されている。
【先行技術文献】
【特許文献】
【０００３】
【特許文献１】特開２０１１−１４１５９８号公報
【発明の概要】
【発明が解決しようとする課題】
【０００４】
しかし、紙文書は、電子文書と違って検索ができないという問題があった。
【０００５】
本発明は、このような状況に鑑みてなされたものであり、紙文書において検索を実現する技術を提供することを目的とする。
【課題を解決するための手段】
【０００６】
本発明の携帯端末は、入力されたテキストの検索を所定の印刷物において可能とする。
前記携帯端末は、前記所定の印刷物に表示されている所定の表示に応じて前記印刷物に対応する電子文書ファイルを取得する電子文書ファイル取得部と、前記テキストを前記電子文書ファイル内で検索し、前記電子文書ファイル内における前記検索されたテキストの位置を表すテキスト位置情報を取得する位置情報取得部と、前記所定の印刷物を撮像して前記所定の印刷物を表す画像データを生成する撮像部と、前記取得されたテキスト位置情報と前記生成された画像データとを使用して、前記印刷物における前記検索されたテキストの位置の少なくとも一部に対応する位置に所定の画像を表示する表示部とを備える。
【０００７】
本発明の検索方法は、入力されたテキストの検索を所定の印刷物において可能とする。前記検索方法は、前記所定の印刷物に表示されている所定の表示に応じて前記印刷物に対応する電子文書ファイルを取得する電子文書ファイル取得工程と、前記テキストを前記電子文書ファイル内で検索し、前記電子文書ファイル内における前記検索されたテキストの位置を表すテキスト位置情報を取得する位置情報取得工程と、前記所定の印刷物を撮像して前記所定の印刷物を表す画像データを生成する撮像工程と、前記取得されたテキスト位置情報と前記生成された画像データとを使用して、前記印刷物における前記検索されたテキストの位置の少なくとも一部に対応する位置に所定の画像を表示する表示工程とを備える。
【０００８】
本発明の印刷データ生成装置は、画像形成装置で印刷物を生成するための印刷データを生成する。前記印刷データ生成装置は、前記印刷物に対応する電子文書ファイルを生成する電子文書ファイル生成部と、前記電子文書ファイルを特定するための情報を含むファイル特定画像を生成する画像生成部と、前記印刷物の予め設定されている位置に前記ファイル特定画像を含める画像データ生成部とを備える。
【０００９】
本発明の制御プログラムは、入力されたテキストの検索を所定の印刷物において可能とする携帯端末を制御する。前記制御プログラムは、前記所定の印刷物に表示されている所定の表示に応じて前記印刷物に対応する電子文書ファイルを取得する電子文書ファイル取得部、前記テキストを前記電子文書ファイル内で検索し、前記電子文書ファイル内における前記検索されたテキストの位置を表すテキスト位置情報を取得する位置情報取得部、前記所定の印刷物を撮像して前記所定の印刷物を表す画像データを生成する撮像部、及び前記取得されたテキスト位置情報と前記生成された画像データとを使用して、前記印刷物における前記検索されたテキストの位置の少なくとも一部に対応する位置に所定の画像を表示する表示部として前記携帯端末を機能させる。
【発明の効果】
【００１０】
本発明によれば、紙文書において検索を実現する技術を提供することができる。
【図面の簡単な説明】
【００１１】
【図１】本発明の一実施形態に係る印刷物検索システム１０の機能構成を示すブロックダイアグラムである。
【図２】一実施形態に係る検索用印刷物生成処理の内容を示すフローチャートである。
【図３】一実施形態に係る印刷物検索処理の内容を示すフローチャートである。
【図４】一実施形態に係る印刷物検索処理における表示状態の一例を示す説明図である。
【図５】一実施形態に係る印刷物検索処理における表示状態の一例におけるマーカーを示す説明図である。
【図６】一実施形態に係る印刷物検索処理における表示状態の他の例におけるマーカーを示す説明図である。
【発明を実施するための形態】
【００１２】
以下、本発明を実施するための形態（以下、「実施形態」という）を、図面を参照して説明する。
【００１３】
Ａ．第１実施形態：
図１は、本発明の一実施形態に係る印刷物検索システム１０の機能構成を示すブロックダイアグラムである。印刷物検索システム１０は、画像形成装置１００と、眼鏡型端末２００と、パーソナルコンピュータ３００とを備えている。画像形成装置１００は、制御部１１０と、画像形成部１２０と、操作表示部１３０と、記憶部１４０と、通信インターフェース部１５０と、自動紙送り装置（ＡＤＦ）１６０とを備えている。眼鏡型端末２００は、透過式眼鏡型端末であり、制御部２１０と、操作表示部２３０と、記憶部２４０と、通信インターフェース部２５０と、撮像部２６０とを備えている。
【００１４】
眼鏡型端末２００は、通信インターフェース部２５０を使用してパーソナルコンピュータ３００と近距離無線通信で接続される。近距離無線通信は、本実施形態では、ＢＬＵＥＴＯＯＴＨ（登録商標）のＣＬＡＳＳ２を使用している。ＢＬＵＥＴＯＯＴＨのＣＬＡＳＳ２は、出力２．５ｍＷの通信であり、パーソナルコンピュータ３００と眼鏡型端末２００との距離が１０ｍ以内程度での通信が可能な近距離無線通信である。
【００１５】
画像形成部１２０は、原稿から画像を読み取って画像データを生成する画像読取部１２１と、印刷設定に従って画像データを処理する画像処理部１２２と、処理された画像データに基づいて印刷媒体上に印刷を行う画像出力部１２３とを備えている。
【００１６】
画像形成装置１００の操作表示部１３０は、ディスプレイ１３１と、操作処理部１３２とを備えている。眼鏡型端末２００の操作表示部２３０は、ディスプレイ２３１と、操作処理部２３２とを備えている。ディスプレイ１３１は、タッチパネルとして機能し、様々なメニューを入力画面として表示する。ディスプレイ２３１は、ユーザーの視野に重ねて所定の視野角で画像を表示する透過式表示領域を有する。操作処理部１３１は、タッチパネルとして機能するディスプレイ１３１や各種ボタンやスイッチ（図示せず）からユーザーの操作入力を受け付ける。操作処理部２３２は、眼鏡型端末２００の本体に対してＢＬＵＥＴＯＯＴＨでの接続されるマウスやキーボードといった入力装置である。
【００１７】
制御部１１０，２１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０は、各種Ｉ／Ｏ、ＵＳＢ（ユニバーサル・シリアル・バス）、バス、その他ハードウェア等のインターフェースに関連するコントローラ機能を備え、それぞれ画像形成装置１００及び眼鏡型端末２００の全体を制御する。
【００１８】
記憶部１４０，２４０は、非一時的な記録媒体であるハードディスクドライブやフラッシュメモリー等からなる記憶装置で、それぞれ制御部１１０，２１０が実行する処理の制御プログラムやデータを記憶する。記憶部１４０は、データ保存用のＢＯＸ１４１を有している。
【００１９】
図２は、一実施形態に係る検索用印刷物生成処理の内容を示すフローチャートである。検索用印刷物生成処理は、画像形成装置１００で紙文書を生成するためのラスターデータを含むラスターファイルと、検索用の電子文書ファイル（ＰＤＦファイルとも呼ばれる。）とを生成する。ＰＤＦ（Ｐｏｒｔａｂｌｅ  Ｄｏｃｕｍｅｎｔ  Ｆｏｒｍａｔ）ファイルは、ＩＳＯ３２０００として国際標準化されている電子文書に関するファイルフォーマットである。ＰＤＦファイルは、印刷物と同じレイアウトの電子文書を含んでいる。
【００２０】
ステップＳ１１では、パーソナルコンピュータ３００は、文書作成ソフトウェアで生成された電子ファイルに基づいて検索用印刷を指示する。検索用印刷の指示は、ユーザーによる印刷設定において検索用印刷が指定されている場合に、印刷指示の一種として行われる。
【００２１】
ステップＳ１２では、パーソナルコンピュータ３００は、検索用印刷の指示に応じてＰＤＦファイル（検索用の電子文書）を生成する。ＰＤＦファイルは、印刷物と同じレイアウトを有するとともにテキストデータを有し、検索が可能となっている。パーソナルコンピュータ３００は、さらに、ＰＤＦファイルのファイル名と、画像形成装置１００のＭＡＣアドレスとを含むＱＲコードを生成する。
【００２２】
ステップＳ１３では、パーソナルコンピュータ３００は、ラスターデータを有するラスターファイルを生成する。ラスターファイルは、前述のように画像形成装置１００で紙文書を生成するためのラスターデータを含んでいる。ラスターデータには、ＱＲコードの表示も含まれる。ＱＲコードは、ユーザーの選択に応じて印刷物の表紙や裏表紙といった特定のページの所定の位置に配置される。
【００２３】
ステップＳ１４では、パーソナルコンピュータ３００は、ＰＤＦファイルとラスターファイルとを通信インターフェース部１５０を使用して画像形成装置１００に送信する。パーソナルコンピュータ３００は、ユーザーの選択に応じて、ラスターファイルのみを画像形成装置１００に送信し、ＰＤＦファイルをパーソナルコンピュータ３００のみに格納するようにしてもよい。
【００２４】
ステップＳ１５では、画像形成装置１００は、ＰＤＦファイルをＢＯＸ１４１の予め設定されている領域に格納する。ステップＳ１６では、画像形成装置１００は、ＱＲコードを含むラスターファイルに基づいて印刷物を生成する。
【００２５】
このように、一実施形態に係る検索用印刷物生成処理は、パーソナルコンピュータ３００と画像形成装置１００とによって印刷物を生成する際に、検索用のＰＤＦファイルを同時に生成する。印刷物は、前述のように印刷物の表紙や裏表紙といった特定のページにＱＲコードを有している。
【００２６】
ＱＲコードは、ＰＤＦファイルのファイル名によって、パーソナルコンピュータ３００において検索用のＰＤＦファイルに印刷物を紐付けている。さらに、ＱＲコードは、画像形成装置１００のＭＡＣアドレスを含んでいるので、パーソナルコンピュータ３００の外部においても一般に検索用のＰＤＦファイルに印刷物を紐付けていることになる。
【００２７】
図３は、一実施形態に係る印刷物検索処理の内容を示すフローチャートである。図４は、一実施形態に係る印刷物検索処理における表示状態の一例を示す説明図である。この例では、印刷物検索処理の結果として現地業務報告書の表紙Ｐ０から第２ページＰ２までが表示されている。印刷物検索処理は、検索用印刷物において検索機能を実現するための処理である。
【００２８】
ステップＳ２１では、ユーザーは、眼鏡型端末２００を通して現地業務報告書の表紙Ｐ０を見る。眼鏡型端末２００の撮像部２６０は、現地業務報告書の表紙Ｐ０に表示されているＱＲコードＱを含む領域を撮像する。
【００２９】
ステップＳ２２では、眼鏡型端末２００の制御部２１０は、ＱＲコードＱを自動的に検知する。制御部２１０は、ＱＲコードＱの検知に応じて印刷物検索処理のためのアプリケーションを起動する。以下の処理は、本アプリケーションによって実行されるプロセスである。
【００３０】
ステップＳ２３では、眼鏡型端末２００の制御部２１０は、印刷物に紐付けられているＰＤＦファイルを取得する。眼鏡型端末２００は、ＱＲコードＱから読み取ったＰＤＦファイルのファイル名を使用し、眼鏡型端末２００がＢＬＵＥＴＯＯＴＨで接続されているパーソナルコンピュータ３００に対してＰＤＦファイルを要求する。パーソナルコンピュータ３００は、このＰＤＦファイルを有する場合には、ＢＬＵＥＴＯＯＴＨを介して眼鏡型端末２００に送信する。このように、制御部２１０は、電子文書ファイル取得部として機能している。
【００３１】
一方、パーソナルコンピュータ３００は、このＰＤＦファイルを有しない場合には、このＰＤＦファイルを有しない旨を眼鏡型端末２００に送信する。眼鏡型端末２００は、ＱＲコードＱから読み取った画像形成装置１００のＭＡＣアドレスを使用してネットワーク内の画像形成装置１００を特定し、この画像形成装置１００に対してＰＤＦファイルを要求する。このように、本実施形態では、印刷物を有するユーザーは、誰でも検索用のＰＤＦファイルにアクセスすることができる。
【００３２】
ステップＳ２４では、ユーザーは、入力装置としての操作処理部２３２を使用して検索用のキーワードを入力する。操作処理部２３２は、何らかの操作がされると、自動的に起動し、眼鏡型端末２００の本体に対してＢＬＵＥＴＯＯＴＨで接続される。眼鏡型端末２００は、ディスプレイ２３１にキーワードの入力画面を表示し、ユーザーによる入力を受け付けることができる。ディスプレイ２３１は、前述のようにユーザーの視野に重ねて所定の視野角で画像を表示する透過式表示領域を有する。このように、ディスプレイ２３１は、表示部として機能している。
【００３３】
ステップＳ２５では、眼鏡型端末２００の制御部２１０は、ＰＤＦファイル内で入力されたテキストを検索し、検索されたテキストの位置を表すテキスト位置情報を取得する。テキスト位置情報は、検索された全てのテキストについて、各テキストが存在する各ページと、それぞれのページにおける各位置とを含んでいる。このように、制御部２１０は、位置情報取得部として機能している。
【００３４】
ステップＳ２６では、ディスプレイ２３１は、透過式表示領域において、テキスト位置情報に基づいて印刷物のテキストに重畳させてマーカーを表示する。図４の例では、現地業務報告書の第１及び第２ページＰ１，Ｐ２に４個のマーカーが表示されている。この例では、ｔｒａｄｅ  ｓｅｃｒｅｔｓ（営業秘密）が検索されている。
【００３５】
図５は、一実施形態に係る印刷物検索処理における表示状態の一例における青マーカーＭ１〜Ｍ５を示す説明図である。この図は、現地業務報告書の第１及び第２ページＰ１，Ｐ２（図４参照）と第３ページＰ３に重畳して表示される青マーカーＭ１〜Ｍ５を抜き出して示している。ＱＲコードＱは、この例では、各ページの枠Ｆｒ１〜Ｆｒ３の形状（長方形）と大きさ（縦の長さと横幅）とを含んでいる。枠Ｆｒ１〜Ｆｒ３の形状は、撮像部２６０と第１ページＰ１等の法線ベクトルと視軸方向との間の角度によって台形に変形する。枠Ｆｒ１〜Ｆｒ３の形状は、撮像部２６０と第１ページＰ１等の間の距離によって大きさが変化する。
【００３６】
眼鏡型端末２００の制御部２１０は、撮像部２６０が生成した画像データを使用し、台形への変形の程度や大きさの変化に基づいて撮像部２６０を基準とする現地業務報告書の空間的な位置を算出する。この算出は、周知の座標変換等を使用して行われる。一方、青マーカーＭ１〜Ｍ５の表示位置は、撮像部２６０によって取得された枠Ｆｒ１〜Ｆｒ３における相対的位置としてのテキスト位置と、青マーカーＭ１〜Ｍ５の位置とが一致するように表示位置が実時間で調整される。さらに、人間の目がテキスト位置にピントを合わせたときに、青マーカーＭ１〜Ｍ５へのピントが合うように光学系が設定されている点で、たとえばコリメートレンズを使用する自動車向けＨＵＤ等と相違する。
【００３７】
具体的には、眼鏡型端末２００の視野が第１ページＰ１等に対して上側に移動すると、撮像部２６０によって検知される枠Ｆｒ１〜Ｆｒ３の位置が下側に移動する。よって、制御部２１０は、枠Ｆｒ１〜Ｆｒ３の下側への移動変化に応じて、青マーカーＭ１〜Ｍ５の位置を下側に移動させて、第１ページＰ１等上のテキストの位置と青マーカーＭ１〜Ｍ５の位置の相対的な位置関係が変化しないように制御する。このように、制御部２１０は、眼鏡型端末２００の視野における印刷物の配置とディスプレイ２３１が有する透過式表示領域における印刷物の配置と合わせるように構成されている。
【００３８】
なお、ジャイロセンサ等を使用して眼鏡型端末２００の角速度を計測し、これにより、人間の頭の周期的な動きを予測して表示位置の制御を円滑化してもよい。
【００３９】
ステップＳ２７では、眼鏡型端末２００の制御部２１０は、撮像部２６０によって撮像された印刷物の状態変化に応じてマーカーの表示を更新する。眼鏡型端末２００の制御部２１０は、たとえば印刷物のページの変更に応じてマーカーの表示を更新する。
【００４０】
具体的には、制御部２１０は、第１ページＰ１のフッタＦｔ１の検知で第１ページを見ていることを認識（決定）し、第２ページＰ２のフッタＦｔ２の検知で第２ページを見ていることを認識することができる。以下では、マーカーは、現地業務報告書の表紙から第２ページＰ２にページをめくっていく過程において以下のように変化する。
【００４１】
現地業務報告書の表紙をめくると、印刷物の第１ページＰ１には、青マーカーＭ１，Ｍ２が表示される。印刷物の第１ページＰ１をめくると、印刷物の第２ページＰ２には、青マーカーＭ３，Ｍ４が表示される。印刷物の第２ページＰ２をめくると、印刷物の第３ページＰ３には、青マーカーＭ５が表示される。
【００４２】
このように、一実施形態に係る眼鏡型端末２００によれば、紙に印刷された印刷物において検索機能を実現することができる。これにより、ユーザーは、検索機能を使いつつ印刷物に対してメモ等の手書きでの書き込みやマーキングを行うことができる。この結果、メモ等の手書きによって、ユーザーにとって使いやすい紙文書の生成等を可能とすることができる。
【００４３】
Ｃ．変形例：
本発明は、上記各実施形態だけでなく、以下のような変形例でも実施することができる。
【００４４】
変形例１：上記実施形態では、現在見ているページに存在する文字列のみに対してマーキングを付しているが、たとえば以下のように他のページの検索対象文字列に対してマーキングを付してもよい。
【００４５】
図６は、変形例に係る印刷物検索処理における表示状態の他の例におけるマーカーを示す説明図である。この例は、他のページでの検索結果を示す点で上述の一例と相違する。以下では、マーカーは、第１ページＰ１〜第３ページＰ３にページをめくっていく過程において以下のように変化する。
【００４６】
現地業務報告書の表紙をめくると、印刷物の第１ページＰ１には、青マーカーＭ１，Ｍ２と、緑マーカー（濃色）Ｍ３ａ，Ｍ４ａと、緑マーカー（淡色）Ｍ５ａとが表示されている。青マーカーＭ１，Ｍ２は、第１ページＰ１における検索対象の文字列の位置を示している。緑マーカー（濃色）Ｍ３ａ，Ｍ４ａは、次のページである第２ページＰ２における検索対象の文字列の存在と位置とを示している。緑マーカー（淡色）Ｍ５ａは、次の次のページである第３ページＰ３における検索対象の文字列の存在と位置とを示している。
【００４７】
印刷物の第１ページＰ１をめくると、印刷物の第２ページＰ２には、赤マーカー（濃色）Ｍ１ａ，Ｍ２ａと、青マーカーＭ３，Ｍ４と、緑マーカー（濃色）Ｍ５ｂとが表示されている。赤マーカー（濃色）Ｍ１ａ，Ｍ２ａは、前のページである第１ページＰ１における検索対象の文字列の存在と位置とを示している。青マーカーＭ３，Ｍ４は、現在見ているページである第２ページＰ２における検索対象の文字列の位置を示している。緑マーカー（濃色）Ｍ５ｂは、次のページである第３ページＰ３における検索対象の文字列の存在と位置とを示している。
【００４８】
印刷物の第２ページＰ２をめくると、印刷物の第３ページＰ３には、赤マーカー（淡色）Ｍ１ｂ，Ｍ２ｂと、赤マーカー（濃色）Ｍ３ｂ，Ｍ４ｂと、青マーカーＭ５とが表示されている。赤マーカー（淡色）Ｍ１ｂ，Ｍ２ｂは、前の前の第１ページＰ１における検索対象の文字列の存在と位置とを示している。赤マーカー（濃色）Ｍ３ｂ，Ｍ４ｂは、前のページである第２ページＰ２における検索対象の文字列の存在と位置とを示している。青マーカーＭ５は、現在見ているページである第３ページＰ３における検索対象の文字列の位置を示している。
【００４９】
このように、変形例の眼鏡型端末２００によれば、他のページ（決定（想定）されているページ以外のページ）の検索対象文字列の存在を知ることができる。なお、青色は、第１の色とも呼ばれる。赤色は、第２の色とも呼ばれる。緑色は、第３の色とも呼ばれる。
【００５０】
さらに、本変形例では、現在見ているページに存在する検索対象文字列に対しては青マーカーでマーキングを行い、現在見ているページよりも前のページに存在する検索対象文字列に対しては赤マーカーでマーキングを行い、現在見ているページよりも後のページに存在する検索対象文字列に対しては緑マーカーでマーキングを行っている。これにより、ユーザーは、赤マーカーでマーキングされている検索対象文字列は、ページを戻すことで検索対象文字列に到達することを知ることができ、緑マーカーでマーキングされている検索対象文字列は、ページを進めることで検索対象文字列に到達することを知ることができることが分かる。
【００５１】
さらに、ページをめくる際に、検索対象文字列が存在するページに近づくとマーキングの色が濃くなるように構成されているので、ページをめくる方向を間違えないようにすることができる。加えて、赤と緑で方向を迷ってもページをめくることによって方向を確認することができるという利点もある。なお、表示対象となるページ数やマーキングの色や濃淡の方向は、任意に設定することができる。このように、マーキングは、検索されたテキストの位置の少なくとも一部に対応する位置に表示されればよい。
【００５２】
変形例２：上記実施形態や変形例では、フッタの検知を認識することによって印刷物のページを認識しているが、印刷物のページの認識方法は、この方法に限られない。たとえば各ページのテキストの一部をＯＣＲで認識して、ＰＤＦファイルの中で検索することによってページを認識するようにしてもよい。
【００５３】
変形例３：上記実施形態や変形例では、ＰＤＦファイルのファイル名と、画像形成装置１００のＭＡＣアドレスとを含むＱＲコードが使用されているが、これに限られない。印刷物に表示されている所定の表示に応じてアプリケーションが起動し、ＰＤＦファイルのファイル名等を情報として含めることができるのであれば他のコードや表示でもよい。さらに、ＱＲコードは、本発明のアプリケーションを起動させるだけのものであってもよい。なお、ＱＲコードは、ファイル特定画像とも呼ばれる。
【００５４】
変形例４：上記実施形態では、検索結果をマーキングとして表示しているが、たとえば四角の枠線で検索対象文字列を囲むようにしてもよい。このように、本発明は、一般的に所定の画像で検索対象文字列が認識できるようにすればよい。
【００５５】
変形例５：上記実施形態では、眼鏡型端末が使用されているが、本発明は、無線通信が可能であればタブレットやスマートフォンといった携帯端末に適用可能である。具体的には、タブレットやスマートフォンのカメラで印刷物を写し、タブレットやスマートフォンのディスプレイに印刷物の画像を再現し、マーキングを重畳して表示するようにしてもよい。なお、携帯端末の語には、眼鏡型端末も含まれる。
【符号の説明】
【００５６】
１０  印刷物検索システム
１００  画像形成装置
１１０，２１０  制御部
１２０  画像形成部
１２１  画像読取部
１２２  画像処理部
１２３  画像出力部
１３０，２３０  操作表示部
１３１，２３１  ディスプレイ
１３２，２３２  操作処理部
１４０，２４０  記憶部
１４１  ＢＯＸ
１５０，２５０  通信インターフェース部
１６０  自動紙送り装置（ＡＤＦ）
２００  眼鏡型端末
２６０  撮像部
３００  パーソナルコンピュータ
【図１】
2017068649.tif 000003
【図２】
2017068649.tif 000004
【図３】
2017068649.tif 000005
【図４】
2017068649.tif 000006
【図５】
2017068649.tif 000007
【図６】
2017068649.tif 000008